(57)【要約】      （修正有）【課題】写真スタジオにおいて、その写真撮影体験を、２Ｄの写真と３Ｄのフィギュアをセットにした２Ｄ／３Ｄフォトブックで提供することで、追体験できるようにするとともに、その製造指示や確認を確実に行える方法を提供する。【解決手段】２Ｄ／３Ｄフォトブックを生産する方法は、２Ｄカメラを用いて人体を撮影する撮影工程と、撮影された写真画像を加工して加工写真を生成する写真加工工程と、生成された加工写真の画像に基づいて３Ｄフィギュアを組み立てる３Ｄ組み立て工程と、箱部の開口部に対してヒンジ構造により蓋部が開閉可能に設けられたブックにおいて、蓋部の箱部側の一方の面に前記写真加工工程により加工された加工写真を装着すると共に、箱部の内部に、前記３Ｄ組み立て工程により組み立てられた３Ｄフィギュアを収納することにより２Ｄ／３Ｄフォトブックとして組み立てる組み立て工程と、を有し、かつ、作業指示や確認を可能とする。【選択図】図７
2016203598.tif 000002
【特許請求の範囲】
【請求項１】
２Ｄカメラを用いて人体を撮影する撮影工程と、
前記撮影工程により撮影された写真画像を加工して加工写真を生成する写真加工工程と、
前記写真加工工程により生成された加工写真の画像に基づいて３Ｄフィギュアを組み立てる３Ｄ組み立て工程と、
箱部の開口部に対してヒンジ構造により蓋部が開閉可能に設けられたブックにおいて、前記蓋部の前記箱部側の一方の面に前記写真加工工程により加工された加工写真を装着すると共に、前記箱部の内部に、前記３Ｄ組み立て工程により組み立てられた３Ｄフィギュアを収納することにより２Ｄ／３Ｄフォトブックとして組み立てる２Ｄ／３Ｄブック組み立て工程と、
を有する２Ｄ／３Ｄフォトブックを生産する方法。
【請求項２】
前記撮影工程は、
衣装、ヘアアレンジセット、撮影装置、写真撮影用セットを配置し、
衣装を装着し、ヘアアレンジした人体を、背景を有する写真撮影用セットに置き、前記２Ｄカメラを用いて前記写真撮影用セットに配置された人体を撮影する
ことを特徴とする請求項１記載の２Ｄ／３Ｄフォトブックを生産する方法。
【請求項３】
前記３Ｄ組み立て工程は、
前記写真加工工程により生成された加工写真の画像に基づいて顔の部分のみの写真を用いて、頭部を坊主頭として成型し、前記頭部に胴体フィギュア、衣装、飾り、ウィッグを装着することで、前記３Ｄフィギュアを組み立てる
ことを特徴とする
３Ｄフィギュアを組み立て方法。
【請求項４】
クラウド上に３Ｄフィギュア組み立て指示装置を置き、撮影した写真と作業情報を元に、作業指示や送付チェックリストを送ることで、写真撮影時に似た、衣装、飾り、ウィッグ、セットを選定・装着し、送付ミスを防止できるようにしたことを特徴とする。
ことを特徴とする請求項１記載の２Ｄ／３Ｄフォトブックを生産する方法。
【請求項５】
前記２Ｄ／３Ｄブック組み立て工程は、
前記蓋部の他方の面および前記箱部の外部面に、ソフトカバーを貼付する
ことを特徴とする請求項１記載の２Ｄ／３Ｄフォトブックを生産する方法。
【請求項６】
請求項４に記載の２Ｄ／３Ｄフォトブックを生産する方法により用いられる３Ｄフィギュア組み立て指示装置であって、
クラウド上に、顧客ごとの、共有フォルダーを作り、顧客の情報を作業者との共有フォルダーに複写し、全体の作業が終わった時点でフォルダーを削除することを自動的に行うことを特徴とする
３Ｄフィギュア組み立て指示装置。
【請求項７】
請求項４に記載の２Ｄ／３Ｄフォトブックを生産する方法により用いられる３Ｄフィギュア組み立て指示装置であって、
クラウド上に、顧客ごとの、共有フォルダーを作り、各工程作業者ごとの、工程別進捗ファイルをおき、各作業者は、進捗報告を、そのファイルの更新によって行うことで全体の進捗管理を自動化することを特徴とする
３Ｄフィギュア組み立て指示装置。
【発明の詳細な説明】
【技術分野】
【０００１】  本発明は、写真スタジオにおいて、その写真撮影体験を、２Ｄの写真と３Ｄのフィギュアをセットにした２Ｄ／３Ｄフォトブックで提供することで、追体験できるようにする生産方法に関するものである。
【背景技術】
【０００２】  従来、写真スタジオにおいては、そのアウトプットである２Ｄの写真のみを提供していたが、見るだけの写真では、その心象は残りにくい問題があった。また３Ｄフィギュアを提供するために、写真スタジオ以外の場所に移動するのでは、撮影体験として途切れてしまい撮影体験としての印象が薄れる傾向にあった。
【先行技術文献】
【特許文献】
【０００３】
【特許文献１】  実用新案登録第３１２６１４２号
【発明の概要】
【特許が解決しようとする課題】
【０００４】これまでの体験型スタジオにおいては、次のような欠点があった。
（ア）見るだけの２Ｄの写真では、印象が残りにくい
（イ）写真スタジオ以外の場所で３Ｄフィギュア用の撮影する場合には、場所が変わるため、写真スタジオの体験自体が薄まる
さらに、３Ｄフィギュアを作る上では、次の課題があった。
（ウ）３Ｄプリンターで髪や衣装、飾りまで印刷する３Ｄフィギュアは、髮のふくらみや衣装の美しさや飾りのきれいさなどを表現できず、与える情感が乏しい
（エ）普通の写真と異なり、複数の関係者と分業して生産する形態となるが、一体一体が異なる仕様であるため、その作業指示や確認が難しくなる
【課題を解決するための手段】
【０００５】  上記目的を達成するため、本発明に係る体験型のスタジオでの撮影体験を追体験できるようにする２Ｄ／３Ｄフォトブックの提供方式の
第１の特徴は、１つの写真スタジオの中に衣装、ヘアアレンジセット、撮影装置、写真撮影用セットを配置し、衣装を装着し、ヘアアレンジした人体を、背景を有する写真撮影用セットに置き、２Ｄカメラを用いて前記写真撮影用セットに配置された人体を撮影することである。これにより、同じ空間で撮影が完了でき、３Ｄフィギュアが体験型スタジオでの体験として印象づけられることである。
第２の特徴は、▲１▼２Ｄカメラを用いて人体を撮影する撮影工程、▲２▼前記撮影工程により撮影された写真画像を加工して加工写真を生成する写真加工工程、▲３▼前記写真加工工程により生成された加工写真の画像に基づいて３Ｄフィギュアを組み立てる３Ｄ組み立て工程、▲４▼箱部の開口部に対してヒンジ構造により蓋部が開閉可能に設けられたブックにおいて、前記蓋部の前記箱部側の一方の面に前記写真加工工程により加工された加工写真を装着すると共に、前記箱部の内部に、前記３Ｄ組み立て工程により組み立てられた３Ｄフィギュアを収納することにより２Ｄ／３Ｄフォトブックとして組み立てる２Ｄ／３Ｄブック組み立て工程を経る事である。これにより、撮影体験を追体験できるようにする２Ｄ／３Ｄフォトブックを作成することである。
第３の特徴は、写真加工工程、３Ｄ組み立て工程、２Ｄ／３Ｄブック組み立て工程の作業者が異なる場合に、クラウド上に３Ｄフィギュア組み立て指示装置を置き、撮影した写真と作業情報を元に、作業指示や送付チェックリストを送ることで、写真撮影時に似た、衣装、飾り、ウィッグ、セットを選定・装着し、送付ミスを防止できるようにしたことである
第４の特徴は、写真加工工程により生成された加工写真の画像に基づいて顔の部分のみの写真を用いて、頭部を坊主頭として成型し、頭部に胴体フィギュア、衣装、飾り、ウィッグを装着することで、前記３Ｄフィギュアを組み立てることで、より情感が溢れる３Ｄフィギュアを実現していることである。
【発明の効果】
【０００６】  本発明に係る２Ｄ／３Ｄフォトブックの提供方式による効果は以下の４点である。
（ア）同じ写真スタジオで２Ｄ写真と３Ｄフィギュアを同時に撮影するため２Ｄ写真と３Ｄ写真が同じ撮影体験として印象付けられる。
（イ）２Ｄ／３Ｄフォトブックにより２Ｄ写真と３Ｄフィギュアが並んで、フォトブックに配置し、写真スタジオのセットに類似したセットの前に置く。それによりの２Ｄの写真を見て、写真スタジオでの撮影体験を思い出しながら、３Ｄの自分にそっくりなフィギュアを手に取ったり、セットの前でポーズを取るなどの遊び動作ができるようになり、写真撮影の追体験ができるようになる。
（ウ）写真加工工程及び３Ｄ組み立て工程で、対象者の写真を元に作業指示や送付内容確認できるようにすることで、作業精度の向上、作業効率化と送付ミス防止ができる。
（エ）フィギュアを３Ｄプリンターで作成し、それにウィッグ、フィギュアボディ、衣装、飾りなどを装着する方法をとることで、より情感が溢れる３Ｄフィギュアを実現できる。
【図面の簡単な説明】
【０００７】
【図１】本発明の２Ｄ／３Ｄフォトブックの生産工程である。
【図２】本発明の撮影工程の詳細図である。
【図３】本発明の写真加工工程及び３Ｄ組み立て工程の詳細図である。
【図４】本発明の２Ｄ／３Ｄブック組み立て工程の詳細図である。
【図５Ａ】本発明の一実施例に係る２Ｄ／３Ｄブックの形状例（前    ）である。
【図６】本発明の一実施例に係る写真スタジオの構造図である。
【図７】本発明の写真加工工程、３Ｄ組み立て工程及び２Ｄ／３Ｄブック組み立て工程の流れ図である。
【図８】本発明の３Ｄフィギュア組み立て指示装置の流れ図である。
【図９】本発明の作業指示、送付チェックリストの形状である。
【図１０】本発明の写真から坊主頭のフィギュアを作り、３Ｄフィギュアに組み立てるまでの流れ図である。
【図５Ｂ】本発明の一実施例に係る２Ｄ／３Ｄブックの形状例（    後ろ）である。
【発明を実施するための形態】
【０００８】以下、本発明を実施するための方法を説明する。
図１は、本発明の２Ｄ／３Ｄフォトブックの生産工程である。
【０００９】  図１に示すように、本発明は２Ｄカメラを用いて人体を撮影する撮影工程と、
前記撮影工程により撮影された写真画像を加工して加工写真を生成する写真加工工程と、
前記写真加工工程により生成された加工写真の画像に基づいて３Ｄフィギュアを組み立てる３Ｄ組み立て工程と、
箱部の開口部に対してヒンジ構造により蓋部が開閉可能に設けられたブックにおいて、前記蓋部の前記箱部側の一方の面に前記写真加工工程により加工された加工写真を装着すると共に、前記箱部の内部に、前記３Ｄ組み立て工程により組み立てられた３Ｄフィギュアを収納することにより２Ｄ／３Ｄフォトブックとして組み立てる２Ｄ／３Ｄブック組み立て工程
からなっている。
【００１０】  図２は、撮影工程の詳細図である。衣装選び、ヘアメイクや化粧、セット前での撮影、３Ｄ用の撮影を１箇所で実施することで、撮影体験を得る。
図６は、体験型スタジオ構造図である。図２に述べた作業は、全て１箇所で実施でき、衣装、ヘアアレンジセット、撮影装置、写真撮影用セットを配置し、衣装を装着し、ヘアアレンジした人体を、背景を有する写真撮影用セットに置き、２Ｄカメラを用いて前記写真撮影用セットに配置された人体を撮影する構造になっている。
【００１１】  図３は、写真加工工程及び３Ｄ組み立て工程の詳細図である。写真を美しく加工したあとに、外部事業者が３Ｄフィギュアの頭の部分だけの加工をし、更に別の事業者が３Ｄフィギュア胴体と３Ｄフィギュアの頭を接続し、ウエッグ、衣装、飾りを装着する。
【００１２】  図４は、２Ｄ／３Ｄブック組み立て工程の詳細図である。出来上がったフィギュアを２Ｄ／３Ｄブックに配置し組み立てる。
【００１３】  図５は、２Ｄ／３Ｄフォトブックの形状である。
前を見ると左右に蓋部と、箱部を有し蓋部には写真、箱部にはフィギュアとセットの模型が入り、一目で写真とフィギュアを見比べることができる。
後ろを見ると、背表紙部があり、蓋部を閉じると本のような大きさとなり容易に本棚などに収納できるようになる。
【００１４】  図７は、写真加工工程、３Ｄ組み立て工程及び２Ｄ／３Ｄブック組み立て工程の流れ図である。本作業は様々な作業者を経て実施されるためインターネットの中で提供されるクラウドのファイル共有サービスを用いて、被撮影者の２Ｄ写真や情報を元に、「３Ｄフィギュア組み立て指示装置」で作業指示や送付チェックリストを出力し、作業効率向上と送付ミス防止を図る。
【００１５】  図７では、写真加工工程、３Ｄフィギュア加工、３Ｄフィギュア組立、２Ｄ／３Ｄブック組み立て工程は、それぞれ別々の作業者が実施する。そのためにインターネット空間で情報を共有できるクラウドファイル共有を利用し、その上で「３Ｄフィギュア組み立て指示装置」を用いて撮影した写真と作業情報を元に、作業指示や送付チェックリストを送ることで、写真撮影時に似た、衣装、飾り、ウィッグ、セットを選定・装着し、送付ミスを防止できるようにしている。
【００１６】  図８は、３Ｄフィギュア組み立て指示装置の流れ図である。本装置は、フォルダー作成機能、内部情報複写機能、作業指示作成機能、送付チェックリスト作成機能、フォルダー削除機能、進捗状況確認機能、から構成される。
フォルダー作成機能は、顧客ごとの写真やサービス情報などを格納するフォルダーを作成する機能である。
内部情報複写機能は、社内で管理している写真やサービス情報を、クラウド上のフォルダーに複写する機能である。
作業指示作成機能は、各工程作業者が参照する作業指示書を作成する機能である。
送付チェックリスト作成機能は、各工程作業者が商品を送付する際に参照する送付チェックリストを出力する機能である。
フォルダー削除機能は、顧客ごとの写真やサービス情報などを格納するフォルダーを削除する機能である。
進捗状況確認機能は、生産工程の進捗を一覧で把握するための機能である。
これらの機能が連動することで、複数の作業者による２Ｄ／３Ｄブックの生産を効率的に行い、正確に顧客に届けることを可能としている。
【００１７】  図８の、３Ｄフィギュア組み立て指示装置の流れ図において、進捗管理フォルダーでは、各作業工程作業者別に工程別進捗ファイルを有している。この工程別進捗ファイルは、各作業工程作業者が作業ごとの進捗を書き込み、それを進捗状況確認機能が、横断的に各工程別進捗ファイルを読み込むことで全体の進捗管理をできるようにしている。
これにより、ファイル共有型クラウドにおいて、複数の作業者の工程管理をアクセスの競合などの考慮の必要な排他制御などの複雑な管理をすることなく全体の進捗管理を自動化している。
【００１８】  図９は、作業指示、送付チェックリストの形状である。
作業指示では、顧客のサービス情報（撮影日、顧客の要望  など）、写真、作業進捗状況をのせることで、３Ｄフィギュア組立では、撮影したときの衣装や飾りが分かり、２Ｄ／３Ｄブック組み立て工程では、使用したセットなどが分かるようになる。このように写真を見ながら作業を正確に行うことを実現している。
送付チェックリストでは、顧客のサービス情報（撮影日、顧客の要望  など）、写真、送付先情報（住所  氏名）をのせることで、写真と送付する２Ｄ／３Ｄブックや写真が間違いないか確認でき、誤送付を防止することができる。また送付先情報（住所  氏名）を印刷して送付状に貼り付けることで、作業の効率化を実現する。
【００１９】  図１０は、写真から坊主頭のフィギュアを作り、３Ｄフィギュアに組み立てるまでの流れ図である。写真加工工程で顔の部分のみの写真をもとに作られた加工済み写真を３Ｄフィギュア工程で、頭部を坊主頭として成型する。この坊主頭の顔フィギュアに対し、ウィッグ、フィギュアのボディ、衣装、飾りを装着する
これにより従来の３Ｄプリンタで、髪や衣装、飾りを含む、３Ｄフィギュア作成方法では表現できなかった、髪の膨らみ、衣装の美しさ、飾りの綺麗さなどが表現できるようになる。
こうような表現力の豊かなフィギュアを写真とセットにした２Ｄ／３Ｄブックを提供することにより、顧客に撮影体験を追体験させる効果がある。
【符号の説明】
【００２０】５．２Ｄ／３Ｄ  ブック
５ａ  蓋部
５ａ−１  写真
５ｂ  箱部
５ｂ−１  フィギュア
５ｂ−２  セットの模型
５ｃ  背表紙部
６．体験型スタジオ
６ａ  衣装選び部
６ｂ  ヘアメイク・化粧部
６ｃ  撮影装置
６ｄ  セット部
【図１】
2016203598.tif 000003
【図２】
2016203598.tif 000004
【図３】
2016203598.tif 000005
【図４】
2016203598.tif 000006
【図５Ａ】
2016203598.tif 000007
【図５Ｂ】
2016203598.tif 000008
【図６】
2016203598.tif 000009
【図７】
2016203598.tif 000010
【図８】
2016203598.tif 000011
【図９】
2016203598.tif 000012
【図１０】
2016203598.tif 000013